(57)【要約】【課題】従来、それぞれ単独に構成されていた歯科用シリンジと光重合器の握持部（本体部）をこれらシリンジと光重合器に共通利用可能とし、該握持部に対して、シリンジのヘッド部と光重合器のヘッド部を選択的に連結して使用可能とする。【解決手段】握持部（本体部）１０はエアー回路及び水回路の開閉をそれぞれ制御する操作片１１，１２と電気回路の開閉を制御する操作スイッチ１３とを有する。この握持部１０に対してシリンジヘッド部２０と光重合器ヘッド部３０とが選択的に連結可能となっている。握持部１０の連結端には、シリンジヘッド部２０に連結可能な水回路端１５とエアー回路端１６と、光重合器ヘッド部３０に連結可能な一対の電極１７，１８とを有し、それぞれのヘッド部２０，３０が必要に応じて該握持部１０に連結されて使用される。【選択図】図１
2007330691.tif 000002
【特許請求の範囲】
【請求項１】
水回路及びエアー回路の開閉をそれぞれ制御する操作片と電気回路の開閉を制御する操作スイッチとを有する握持部と、該握持部に選択的に連結可能なシリンジヘッド部及び光重合器ヘッド部とを有し、前記握持部の連結端には、前記シリンジヘッド部に連結可能な水回路端とエアー回路端と、前記光重合器ヘッド部に連結可能な一対の電極端とを有し、前記シリンジヘッド部の連結端には前記握持部の水回路端とエアー回路端に連結可能な水回路端とエアー回路端を有し、前記シリンジヘッド部の連結端には前記握持部の電極端に接続される一対の電極端を有することを特徴とする歯科用ハンドピース。
【請求項２】
前記握持部に前記光重合器ヘッド部が連結されたことを検知する検知手段を有し、該光重合器ヘッド部が連結された時に、前記水回路に水が供給されないようにしたことを特徴とする請求項１に記載の歯科用ハンドピース。
【請求項３】
前記光重合器ヘッド部は、前記一対の電極端子間に接続された光源を含む電気的負荷を有し、前記握持部は前記電気的負荷を検知する検知手段を有し、該検知手段が前記電気的負荷を検知した時に、前記水回路が開路されないようにしたことを特徴とする請求項２に記載の歯科用ハンドピース。
【請求項４】
前記シリンジヘッド部は、前記握持部の一対の電極間に接続される所定の電気的負荷を有し、前記握持部は、前記所定の電気的負荷を検出した時のみ、前記水回路を開路するようにしたことを特徴とする請求項１に記載の歯科用ハンドピース。
【発明の詳細な説明】
【技術分野】
【０００１】
本発明は、歯科用ハンドピース、より詳細には、従来、単独に構成されていたシリンジと光重合器を、握持部（本体部）を共通使用可能とするとともに、それぞれのヘッド部を前記握持部に選択的に連結して使用可能とし、もって、ハンドピースの数を減らし、価格の低廉化を図ったものである。
【背景技術】
【０００２】
図２は、従来の歯科用シリンジの一例を説明するための図で、図中、１０は握持部（シリンジ本体部）、２０は該握持部１０に着脱自在に連結されるヘッド部で、握持部１０内には、周知のように、水回路１５及びエアー回路１６が設けられており、これら水回路１５及びエアー回路１６はインスツルメントホース１内に配設された水回路及びエアー回路を通して図示しない歯科ユニットに連結されている。それぞれの水回路及びエアー回路には流量調整弁（遮断弁）が設けられている。１１は水回路１５中に設けられている水量調整弁の開閉度を調整する水量調整操作片、１２はエアー回路１６中に設けられているエアー量調整弁の開閉度を調整するエアー量調整操作片で、例えば、操作片１１を押すことによって、これら水回路１５及びエアー回路１６に連通しているヘッド部２０内の水回路２２及びエアー回路２３及びこれら水回路２２及び２３に連通している共通回路２４を通して噴射管２１の先端から、水が放出され、或いは、操作片１２を押すことによってエアーが噴射され、更には、これら操作片１１と１２を同時に押すことによって、水とエアーの混合体であるスプレーが噴射され、その噴射量は、例えば、これら操作片１１，１２を押すストロークの調整によって行っている。具体的には、人差し指で操作片１１を押して水回路を開き、更に押し込むことによってその流量を調整し、また、中指で操作片１２を押してエアー回路を開き、更に押し込むことによってそのエアーの流量を調整するが、流量調整弁を別に設けておき、これら操作片によって、単に、弁を開閉するようにしてもよい。
【０００３】
図３は、従来の歯科用光重合器の一例を説明するための図で、図中、１０は握持部（光重合器本体部）、３０は該握持部１０に着脱自在に連結させるヘッド部で、握持部１０内に光源３１を内蔵し或いは図示しない歯科ユニット内の電源にインスツルメントホース１内のリード線を通して接続されており、握持部１０にヘッド部３０を連結した時に、握持部１０の連結部に設けられている一対の電極１７，１８とヘッド部３０に設けられている一対の電極３３，３４が接続され、操作スイッチ１３を押した時に、ヘッド部３０内に設けられている光源３１を点灯し、該光源３１からの光を歯牙内に充填されたレジンに直接照射し或いは光導体３２を通して照射する。
【０００４】
なお、以上に示したシリンジ及び光重合器は、単に、従来技術の一例として、その基本的な動作を説明したものであり、本発明が上記従来技術に限定されるものではないことは容易に理解されよう。
【発明の開示】
【発明が解決しようとする課題】
【０００５】
本発明は、上述のように、従来、それぞれ単独に構成されていた歯科用シリンジと光重合器の握持部（本体部）１０を、これらシリンジと光重合器とで共通利用可能とし、該握持部１０に対して、シリンジのヘッド部２０と光重合器のヘッド部３０を選択的に連結して使用可能とし、歯科用ハンドピースの数を減らして術者まわりの繁雑さを軽減し、更には、歯科用インスツルメントにかかる費用の削減を図ることを目的としてなされたものである。
【課題を解決するための手段】
【０００６】
請求項１の発明は、水回路及びエアー回路の開閉をそれぞれ制御する操作片と電気回路の開閉を制御する操作スイッチとを有する握持部と、該握持部に選択的に連結可能なシリンジヘッド部及び光重合器ヘッド部とを有し、前記握持部の連結端には、前記シリンジヘッド部に連結可能な水回路端とエアー回路端と、前記光重合器ヘッド部に連結可能な一対の電極端とを有し、前記シリンジヘッド部の連結端には前記握持部の水回路端とエアー回路端に連結可能な水回路端とエアー回路端を有し、前記シリンジヘッド部の連結端には前記握持部の電極端に接続される一対の電極端を有することを特徴としたものである。
【０００７】
請求項２の発明は、請求項１の発明において、前記握持部に前記光重合器ヘッド部が連結されたことを検知する検知手段を有し、該光重合器ヘッド部が連結された時に、前記水回路に水が供給されないようにしたことを特徴としたものである。
【０００８】
請求項３の発明は、請求項２の発明において、前記光重合器ヘッド部は、前記一対の電極端子間に接続された光源を含む電気的負荷を有し、前記握持部は前記電気的負荷を検知する検知手段を有し、該検知手段が前記電気的負荷を検知した時に、前記水回路が開路されないようにしたことを特徴としたものである。
【０００９】
請求項４の発明は、請求項１の発明において、前記シリンジヘッド部は、前記握持部の一対の電極間に接続される所定の電気的負荷を有し、前記握持部は、前記所定の電気的負荷を検出した時のみ、前記水回路を開路するようにしたことを特徴としたものである。
【発明の効果】
【００１０】
本発明によると、従来、それぞれ単独に構成されていた歯科用シリンジと光重合器の握持部（本体部）をこれらシリンジと光重合器に共通利用可能とし、該共通の握持部に対して、シリンジのヘッド部と光重合器のヘッド部を選択的に連結して使用可能としたので、歯科用ハンドピースの数を減らして術者まわりの繁雑さを軽減し、更には、歯科用インスツルメントにかかる費用の削減を図ることができる。
【発明を実施するための最良の形態】
【００１１】
図１は、本発明による歯科用ハンドピースの一実施例を説明するための図で、図中、１０は、握持部（ハンドピース本体部）で、該握持部１０は、図２に示したシリンジ本体部１０の機能と図３に示した光重合器本体部１０の機能を備えている。すなわち、１１及び１２は図２に示した操作片１１及び１２と同様の機能をし、１３は図３に示した操作スイッチ１３と同様の機能をする。また、２０は図２に示した歯科用シリンジのヘッド部２０と同様の機能を有し、３０は図３に示した光重合器用ヘッド部３０と同様の機能をするが、共に、本体部１０に対して連結可能であり、術者は、所望により、いずれか一方のヘッド部を選択して接続する。シリンジヘッド部２０を連結した時は、本体部１０側の水回路１５及びエアー回路１６とヘッド部２０の水回路２２及びエアー回路２３がそれぞれ連通し、操作片１１，１２を操作して、図２に示した従来のシリンジと同様にして使用することができる。この時、操作スイッチ１３を操作しても、シリンジヘッド部２０には、本体部１０側の電極１７，１８間に何も接続されないので、該電極１７，１８間は開放されたままであるので、何ら問題はない。
【００１２】
本体部１０に光重合器用ヘッド部３０を連結すると、本体部１０側の電極１７，１８がヘッド部３０側の電極３３，３４と接続される。これら電極３３，３４間には、光源３１が接続されているので、本体部１０に光重合器用ヘッド部３０を連結した後、本体部１０側の操作スイッチ１３をオンすると、光源３１が点灯し、従来の光重合器と同様にして、レジンに光を照射することができる。
【００１３】
この場合、つまり、光重合器のヘッド部３０を本体部１０に接続した状態で、本体部１０側の操作片１１，１２を操作してしまうと、水回路１５に水，エアー回路１６にエアーが供給されてしまい、特に、水が供給されると、その水が漏れて、電極１７，１８間を短絡し、或いは、水が床に垂れ落ちてしまう等の危険がある。このような危険を防止するためには、電極１７，１８間に予め微小電圧を印加しておき、光重合器用ヘッド部３０が連結された時に、光源（例えば、電球）３１を通して流れる電流を検知し、この電流を検知した時は、水回路（必要により、エアー回路も）の弁を閉状態とし、水回路用操作片１１（必要により、エアー回路用操作片１２も）を操作しても、水回路１５に水が供給するようにするとよい。
【００１４】
なお、場合によっては、シリンジ用ヘッド部２０内に、照明用の光源が設けられている場合があり、この場合には、該光源と並列（又は直列）に抵抗等を挿入し、該光源（非点灯時）を含む電気的負荷（抵抗）を光重合器用ヘッド３０を接続した時とは異なる所定の値にしておき、検出した電流値がこの所定の抵抗値に対応したものでない時は、水回路（必要により、エアー回路も）を開かないようにするとよい。
【００１５】
以上には、本体部１０に対してシリンジ用ヘッド部２０が接続されていない場合、及び、接続されている場合の検知に、光源点灯用の電気端子を利用する場合の例について説明したが、本発明は、上記例に限定されるものではなく、周知の任意所望の検知手段によって、いずれのヘッド部が連結されているかを検知するようにしてもよいことは、容易に理解できよう。
【図面の簡単な説明】
【００１６】
【図１】本発明による歯科用ハンドピースの一実施例を説明するための図である。
【図２】従来の歯科用シリンジの一例を説明するための図である。
【図３】従来の歯科用光重合器の一例を説明するための図である。
【符号の説明】
【００１７】
１…インスツルメントホース、１０…握持部（本体部）、１１，１２…シリンジ用操作片、１３…光重合器用操作スイッチ、１５…水回路、１６…エアー回路、１７，１８…電極、２０…シリンジ用ヘッド部、２１…水及び／又はエアー噴射管、２２…水回路、２３…エアー回路、２４…水及び／又はエアー回路、３０…光重合器用ヘッド部、３１…光源、３２…光導体、３３，３４…電極。
【図１】
2007330691.tif 000003
【図２】
2007330691.tif 000004
【図３】
2007330691.tif 000005